(57)【要約】【課題】システムラックに大型の薄型表示装置を取り付けられるようにする。【解決手段】上下少なくとも２枚のラック棚１，２を有するラックの背面中央部分の上下２箇所で取り付け金具１３，１４を介してアーム１５を取り付ける。このアーム１５は上部が斜め前上方に屈曲され、その先端の前記ラックの前後方向ほぼ中間位置の上方に液晶表示装置取付部１６を備え、この取付部１６に液晶表示装置１７を取り付ける。なお、前記液晶表示装置取付部１６は、液晶表示装置１７の背面に当接する当接板１８からなり、この当接板１８に所定間隔で取付用ビス孔１９が形成されている。【選択図】  図１
2004320427.tif 000002
【特許請求の範囲】
【請求項１】
ラックの背面から斜め前上方にアームを配設しその先端を薄型表示装置の取付部としたことを特徴とするシステムラック。
【請求項２】
上下少なくとも２枚のラック棚を有するラックと、
このラックの背面中央部分のラック棚に固定されて上部が斜め前上方に屈曲されたアームと、
このアームの先端であって前記ラックの前後方向ほぼ中間位置の上方に形成された薄型表示装置取付部と、を備えたことを特徴とするシステムラック。
【請求項３】
請求項１または２に記載のシステムラックにおいて、
前記薄型表示装置取付部は、薄型表示装置の背面に当接する当接板と、この当接板に所定間隔で配設された複数の取付用ビス孔とにより構成したことを特徴とするシステムラック。
【請求項４】
請求項１乃至３のいずれかに記載のシステムラックにおいて、
最下段のラック棚四隅の下面にそれぞれキャスタを取り付けたことを特徴とするシステムラック。
【請求項５】
請求項１乃至４のいずれかに記載のシステムラックにおいて、
前記アームは２本のパイプ材を板材で接続した構造としたことを特徴とするシステムラック。
【請求項６】
請求項１乃至５のいずれかに記載のシステムラックにおいて、
最上段のラック棚上にガラス板を載置したことを特徴とするシステムラック。
【請求項７】
請求項１乃至６のいずれかに記載のシステムラックにおいて、
最上段のラック棚と取り付けられた薄型表示装置の下端との間にＡＶ機器を載置できる空間を確保するようにしたことを特徴とするシステムラック。
【発明の詳細な説明】
【０００１】
【発明の属する技術分野】
本発明は、ＶＴＲ、ＢＳチューナ、ＤＶＤ、オーディオ装置等のＡＶ機器の収納部と、液晶表示装置やプラズマディスプレイテレビやＥＬテレビ等の薄型表示装置の取り付け部を有するシステムラックに関する。
【０００２】
【従来の技術】
ＶＴＲ、ＢＳチューナ、ＤＶＤ、オーディオ装置等のＡＶ機器はテレビやモニターなどの表示装置と接続して使われることが多く、表示装置の搭載部とＡＶ機器の収納部を有した各種のシステムラックが市販されており、移動可能にキャスター付きのシステムラックも各種提案されている。
一方、液晶表示装置やＰＤＰも、省電力化の流れや、大型化や高画質化の技術革新により、ＣＲＴテレビに替わる変わる勢いで台頭してきている。
薄型表示装置を搭載するラックとして特許文献１などが開示されている。
特許文献１においては、キャスター付きビデオ収納台と、安全ベルト付き椅子と、ビデオデッキ装置と、ビデオモニター取付杆と、取付杆の先端に設けられたビデオモニターと、左右一対のスピーカーとを備え、歯科治療中の親から幼児を離して座らせても、ビデオモニターを見て楽しく、安全に過ごすことができ、親、歯科医、スタッフの負担を少しでも軽減しようとする提案で、ビデオモニター取付杆はラックテーブル上に固定され、上下左右方向へ調整自在に設けられている。
【０００３】
また、ラック上にカメラ取付け用アームを設けたテレビ会議用のシステムラックとして特許文献２が開示されている。
特許文献２においては、ラックのモニタテレビを搭載する上面には高さ調整機構が設けられている。ラックの後縁にはアームの基部が取り付けられ、その先端部にはカメラを収容したカメラボックスが取り付けられている。最初、レバーを緩めテレビカメラの高さ位置を調整した後、レバーを締めつけることによりカメラ位置を被写体の視線位置に調整する。ラックに搭載したモニタテレビの上面とカメラボックスの底面の間にスペースがある場合には高さ調整機構を駆動させてモニタテレビの上面をカメラボックスに接触する位置まで上昇させ停止する。これによりモニタテレビとカメラの間の視差は少なくなり、被写体の水平の視線付近に容易にカメラおよびモニタテレビの位置を調整できるというもので、種々の大きさのモニタテレビに対して被写体（人）の視線位置を変えることなく対応でき、多くのユーザーの視線位置にも対応できるカメラ・ラック装置の提案である。
【０００４】
【特許文献１】
実用新案登録第３０７０３７１号公報
【特許文献２】
特開平０７−２３３６１号公報
【特許文献３】
【０００５】
【発明が解決しようとする課題】
しかしながら、上述した特許文献１、２のアーム取付け構造では、重量のある大型の薄型表示装置を固定した場合に安定して保持することが不可能である。そのため近年需要が増大している大型の薄型表示装置を安定して支持することができる強固な取付構造を有するシステムラックの出現が望まれていた。
【０００６】
【課題を解決するための手段】
そこで上記課題を解決するために、本発明は、ラックの背面から斜め前上方にアームを配設しその先端に薄型表示装置を取付けるようにして、大型の薄型表示装置を安定して支持することを可能にした。詳しくは、本発明は、上下少なくとも２枚のラック棚を有するラックと、このラックの背面中央部分のラック棚に固定されて上部が斜め前上方に屈曲されたアームと、このアームの先端であって前記ラックの前後方向ほぼ中間位置の上方に形成された薄型表示装置取付部とを備えるようにした。なお、前記薄型表示装置取付部は、薄型表示装置の背面に当接する当接板と、この当接板に所定間隔で配設された複数の取付用ビス孔とにより構成する。さらに、最下段のラック棚四隅の下面にそれぞれキャスタを取り付けるようにする。また、前記アームは２本のパイプ材を板材で接続した構造とすることも可能である。また、最上段のラック棚上にガラス板を載置するとともに、最上段のラック棚と取り付けられた薄型表示装置の下端との間にＡＶ機器を載置できる空間を確保することが好ましい。
【０００７】
【発明の実施の形態】
以下、図に基づいて本発明の実施形態を液晶表示装置の応用例として説明する。尚、本発明はプラズマディスプレイテレビやＥＬテレビ等の薄型表示装置においても適用可能な技術であり、液晶表示装置に限定されるものではない。図１は本発明に係るシステムラックに液晶表示装置を取り付けた状態の左側面図、図２は同じくその背面図、図３は図２から液晶表示装置を除去した状態の平面図、図４は図３のＡ−Ａ線断面図、図５は分解斜視図である。これらの図において、１は下のラック棚、２は上のラック棚であり、これら板金からなるラック棚１，２は４本の支柱３〜６と四角形の枠７により支持され、支柱３〜６の下端にキャスタ８〜１１が取り付けられてシステムラックを構成している。上のラック棚２の上面には、美観を良くするためガラス板１２が載置されている。ラック棚１，２の背面中央部分に断面コ字形の取り付け金具１３，１４を介して、アーム１５がビスにより固定されている。
【０００８】
アーム１５の上部はくの字に屈曲されて斜め前上方に突出し、その先端に、液晶表示装置取付部１６が形成されて、液晶表示装置１７が取り付けられる。液晶表示装置取付部１６は液晶表示装置１７の背面に当接する当接板１８により構成され、さらにこの当接板１８に液晶表示装置１７の取り付けビスのピッチで複数の取付用ビス孔１９が配設されている。液晶表示装置取付部１６の位置は、システムラックの左右方向の中央であるとともに、前後方向の中間位置よりもやや後ろの上方とし、液晶表示装置取付部１６に取り付けられた液晶表示装置１７の重心がシステムラックの前後方向の中間に位置するようにして、最も転倒しにくい安定した位置で液晶表示装置１７を支持するようにしている。
なお、図１乃至図３における液晶表示装置１７の具体的な寸法例を述べると、幅１１８４ｍｍ×高さ２８８．５ｍｍ×奥行き８７．５ｍｍで重量２０Ｋｇである。同様にシステムラックの寸法は、幅９７０ｍｍ×高さ４３５ｍｍ×奥行き４８５ｍｍ（キャスタ込み）である。
【０００９】
また、液晶表示装置１７の支持高さは、図１に示されるように、上のラック棚２上のガラス板１２の上に仮想線で示したＡＶ機器２０を載置できる充分な高さとしている。アーム１５の断面形状は、図４に示されるように、２本のパイプ材を板材で接続した構造として、具体的にはアルミの引き抜き成形により製造した後、くの字形に屈曲して使用する。アーム１５の下方でラック棚１の背面には、板金からなるバスケット２１が吊り下げられて、電源コード、アンテナ線等が収納される。このようなラックにおいては、機器の転倒に対する安全規準が設けられており、例えば電気用品取締り規格における機器の転倒角度は１０度と設定されている。本実施形態では、前記システムラックと液晶表示装置１７の寸法関係において、システムラック幅と液晶表示装置１７幅の中心線を略一致させ、システムラック奥行き中心線上に液晶表示装置１７の重心位置を略一致させ、液晶表示装置１７の中央部が床面より８８０ｍｍになるようにアーム１５を設けることにより、機器の転倒角度を１５度に維持するようにしている。なお、上述の実施形態では、上下２段のラック棚によりシステムラックを構成したが、３段以上のラック棚により構成することも可能である。さらには、下のラック棚１についてもガラス板を載置することが可能である。
【００１０】
【発明の効果】
以上述べたように本発明によれば、ラックの背面中央部に上部が斜め前上方に屈曲したアームを取り付け、その先端のラック中央部分の上方に薄型表示装置を取り付ける構造としたため、大型で重量のある薄型表示装置についても安定して支持することが可能となる。
【図面の簡単な説明】
【図１】本発明の実施形態に液晶表示装置を取り付けた状態の左側面図である。
【図２】図１の背面図である。
【図３】図２から液晶表示装置を除去した状態の平面図である。
【図４】図３のＡ−Ａ線断面図である。
【図５】本発明の実施形態の分解斜視図である。
【符号の説明】
１  下のラック棚
２  上のラック棚
３〜６  支柱
７  枠
８〜１１  キャスタ
１２  ガラス板
１３，１４  取り付け金具
１５  アーム
１６  液晶表示装置取付部
１７  液晶表示装置
１８  当接板
１９  取付用ビス孔
２０  ＡＶ機器
２１  バスケット
【図１】
2004320427.tif 000003
【図２】
2004320427.tif 000004
【図３】
2004320427.tif 000005
【図４】
2004320427.tif 000006
【図５】
2004320427.tif 000007